(57)【要約】【課題】ミラー本体の内部に、小型の物品の収納を許容する収容部を設ける。【解決手段】ミラー本体１０をバケット形状に形成して、その内部に本体収容部３４を画成する。そして、ミラー本体１０の外部下縁に、本体収容部３４に連通する挿通口２８を形成する。物品収納部５２が内部に画成された物品収納体５０を、常には本体収容部３４内へ格納されると共に、挿通口２８を介してミラー本体１０から外方へ延出可能に配設する。これにより、物品収納体５０をミラー本体１０から延出させることで物品収納部５２に対する物品の出し入れを行ない、該物品収納体５０をミラー本体１０内へ格納することで該物品を収納することができる。【選択図】図２
2006103596.tif 000002
【特許請求の範囲】
【請求項１】
フロントウィンドウの上縁に取付けられるミラー本体(10)と、このミラー本体(10)に設けられて後方視界を付与するミラー(12)とからなるルームミラーにおいて、
前記ミラー本体(10)の内部に画成された本体収容部(34)と、
前記ミラー本体(10)の外縁に形成され、前記本体収容部(34)に連通する挿通口(28)と、
物品収納部(52)が内部に画成され、常には前記本体収容部(34)内へ格納されると共に、前記挿通口(28)を介してミラー本体(10)から外方へ延出可能な物品収納体(50)とから構成した
ことを特徴とするルームミラー。
【請求項２】
前記ミラー本体(10)の内部に設けた第１ガイド部(36,36)と前記物品収納体(50)の外部に設けた第２ガイド部(56,56)とを係合させることで、ミラー本体(10)に対して物品収納体(50)がスライド可能に取付けられる請求項１記載のルームミラー。
【請求項３】
前記挿通口(28)は前記ミラー本体(10)の下縁部に形成され、前記物品収納体(50)は前記ミラー本体(10)から下方へ延出する請求項１または２記載のルームミラー。
【請求項４】
前記挿通口(28)は前記ミラー本体(10)の側縁部に形成され、前記物品収納体(50)は前記ミラー本体(10)から横方向へ延出する請求項１または２記載のルームミラー。
【発明の詳細な説明】
【技術分野】
【０００１】
本発明は、ルームミラーに関し、更に詳細には、フロントウィンドウの上縁に取付けられるミラー本体と、このミラー本体に設けられて後方視界を付与するミラーとからなるルームミラーに関するものである。
【背景技術】
【０００２】
例えば、図７および図８に例示するように、種々車両における乗員室前方のフロントウィンドウＦＷにおける上縁の略中央には、ドライバーが当該車両の後方確認を行なうためのルームミラーＲＭ１が取付けられている。このルームミラーＲＭ１は、ルーフを構成するルーフパネルＲＦの前端近傍に取付けられるルーフ取付タイプ(図７および図８)と、フロントウィンドウＦＷに取付けられるウィンドウタイプ(図示せず)とがある。何れのタイプにおいても、ルーフパネルＲＦまたはフロントウィンドウＦＷに固定されたステー１４の先端に姿勢変位可能に取付けられ、フロントウィンドウＦＷの上縁の略中央に位置するミラー本体１０と、このミラー本体１０に設けられて後方視界を付与するミラー１２とから基本的に構成されている。このようなルームミラーは、例えば特許文献１に開示されている。
【特許文献１】特開平０９−３０１０７０号公報
【発明の開示】
【発明が解決しようとする課題】
【０００３】
ところで、従来から実施に供されているルームミラーＲＭ１は、レバー操作により角度変更が可能な防眩機構がミラー本体１０の内側に組み込まれているだけで、基本的にはミラー１２により後方視界を付与する機能しか具有していなかった。このため、図７および図８に例示したように、運転中に使用するメガネやサングラス等の物品を収納するための収納部１６を、ルーフパネルＲＦの前端の略中央(ルームミラーＲＭ１の手前)に設けてある場合が多い。しかしながら、ルーフパネルＲＦに収納部１６を設けるようにした場合、該ルーフパネルＲＦを含むルーフ部分の構造が複雑となってコストアップを招来すると共に、該ルーフパネルＲＦの形状が制約されてデザインの自由度が低下してしまう問題を内在していた。また、ルーフパネルＲＦの前端に収納部１６を設けた構成では、図８に示したように、開放した該収納部１６がルームミラーＲＭ１の前側へ傾動するようになり、場合によっては該ルームミラーＲＭ１による後方視界を妨げる虞れもある。
【０００４】
すなわち従来のルームミラーＲＭ１では、前述したように後方視界を付与する機能だけしか有しておらず、ミラー本体１０の内部に身辺小間物の物品を収納を許容する収納部を設けるという技術的思想が殆どなかった。なお、製造コスト等の関係からルーフパネルＲＦの前端に収納部１６を有さない車両も多く、このような車両を所有するオーナーにおいて収納部を必要とする場合は、サンバイザー１８等に取付けて使用するようにした小型の収納ケースを別途購入することを余儀なくされ、経済的な負担を強いられていた。
【０００５】
従って本発明は、ミラー本体の内部に、小型の物品の収納を許容する収容部を設けたルームミラーを提供することを目的とする。
【課題を解決するための手段】
【０００６】
前記課題を解決し、所期の目的を達成するため本発明に係るルームミラーは、
フロントウィンドウの上縁に取付けられるミラー本体と、このミラー本体に設けられて後方視界を付与するミラーとからなるルームミラーにおいて、
前記ミラー本体の内部に画成された本体収容部と、
前記ミラー本体の外縁に形成され、前記本体収容部に連通する挿通口と、
物品収納部が内部に画成され、常には前記本体収容部内へ格納されると共に、前記挿通口を介してミラー本体から外方へ延出可能な物品収納体とから構成したことを特徴とする。
【発明の効果】
【０００７】
本発明に係るルームミラーによれば、物品収納機能が付与されているため、ルーフパネルの前端等に収納部を設ける必要がなくなり、車体構造の簡素化を図ってコスト削減が期待できると共に、該ルーフパネルの形状に制約がなくなってデザインの自由度が高められる利点がある。また、ミラー本体の姿勢を変えることなく物品収納体を延出させ得るので、物品の出し入れに際して後方視界が妨げられることがなく、後方視界を付与するというルームミラーの本来の機能は何等損なわれることがない等の有益な効果を奏する。
【発明を実施するための最良の形態】
【０００８】
次に、本発明に係るルームミラーにつき、好適な実施例を挙げて、添付図面を参照しながら以下説明する。なお、図７および図８を引用して説明した従来技術の項における既出の部材・部位と同一の部材・部位については、同一の符号を付して説明する。
【実施例】
【０００９】
図１は、好適実施例に係るルームミラーＲＭを、ミラー本体１０へ収容可能な物品収納体５０を延出させた状態で例示した概略斜視図、図２は図１のII−II線断面図である。また図３は、図１に例示したルームミラーＲＭを、ミラー本体１０へ物品収納体５０を収容した通常の使用状態で示した概略斜視図、図４は、図３のIV−IV線断面図である。本実施例のルームミラーＲＭは、図７に例示した従来のルームミラーＲＭ１と同様に、フロントウィンドウＦＷの上縁の略中央に懸吊状態で取付けられるミラー本体１０と、このミラー本体１０に設けられて後方視界を付与するミラー１２とから基本的に構成されている。なお説明の便宜上、図２の紙面右側(乗員室後方を指向する側)をルームミラーＲＭの前側、フロントウィンドウＦＷを指向する側を後側とする。
【００１０】
ミラー本体１０は、図７に例示した従来のルームミラーＲＭのミラー本体１０と比べると、後壁部分２０が後方側へ膨出した横長のバケット形状に形成されており、その厚み寸法Ｓを大きく設定してある。そして、乗員室後方を指向する部位に大きく開口形成された開口部２４に、前述したミラー１２が固定保持されるようになっており、該ミラー１２を装着したミラー本体１０の内部には空間が画成されるようになっている。また、後壁部分２０の中央上部には、前述したステー１４の先端部の挿通を許容する第１挿通口２６が開設されていると共に、下壁部分２２には、ミラー本体１０の横幅寸法よりやや短い横長矩形状の第２挿通口２８が開設されている。なお、図２および図４から明らかなように、ミラー本体１０を後方側へ膨出させた形状としても、該ミラー本体１０と傾斜したフロントウィンドウＦＷとの間にはまだ充分なスペースが確保されており、ルームミラーＲＭの機能を何等阻害することがないと共に前方視界を遮ることもない。
【００１１】
前述した第１挿通口２６に対応したミラー本体１０の内側には、図５に例示するように、ルームミラーＲＭを上下方向および左右方向へ姿勢変位可能に取り付けるための姿勢保持体４０が取り付けられている。この姿勢保持体４０は、第１挿通口２６を挟んで両側に突設した第１ボス３０,３０に対して図示しないビス等を締結することで、該第１挿通口２６に臨んだ状態で取り付けられる。そして、前述したステー１４の先端に設けたボール４４が嵌合するようになる凹部４２が、前述した第１挿通口２６に臨む位置に形成されており、これらボール４４および凹部４２により所謂ボールジョイントとして機能するようになり、ルームミラーＲＭの上下および左右への姿勢変位が可能となっている。また姿勢保持体４０には、枠状を呈する取付部４６が一体的に形成されており、公知のプッシュオープン機構を備えた後述のロック装置４８を取付固定するようになっている。なお図示省略したが、ミラー本体１０の内部には、レバーの操作により該ミラー本体１０を所定角度だけ下方へ傾動させる防眩機構が装備されている。
【００１２】
そして本実施例のルームミラーＲＭは、ミラー本体１０の内部に画成された前述の空間からなる本体収容部３４と、該ミラー本体１０の外縁である下縁部に形成されて、本体収容部３４に連通する前述の第２挿通口２８とを設けたもとで、物品収納部５２が内部に画成されて、常には本体収容部３４内へ格納されると共に、第２挿通口２８を介してミラー本体１０から外方(下方)へ延出可能な物品収納体５０を設けたことを特徴としている。すなわち、ミラー本体１０に収容可能に装着した物品収納体５０に、身辺の小間物(具体的にはメガネやサングラス等)である物品を収納し得るようにして、物品収納機能を付与させたことを特徴としている。
【００１３】
前記物品収納体５０は、前述した本体収容部３４に完全に収容され得ると共に前述した第２挿通口２８を挿通可能なサイズで、前述した物品収納部５２を内部に画成した矩形箱体状に形成され、その前側(ミラー１２に対向した側)に横長の物品出入口５４が開設されている。そして、物品収納体５０の左側部外面および右側部外面には、ミラー本体１０の内部に配設したガイド部材３６,３６のガイド溝(第１ガイド部)３８に摺動可能に係合する突縁部(第２ガイド部)５６,５６が、該物品収納体５０の鉛直方向へ延在するよう突設されている。すなわち物品収納体５０は、ミラー本体１０の内部に対向的に立設したガイド部材３６,３６のガイド溝３８,３８と、該物品収納体５０に突設した突縁部５６,５６とを係合させることで、これらの摺接作用下にミラー本体１０に対して水平姿勢に保持された状態で昇降スライド可能に取付けられ、該ミラー本体１０の本体収容部３４内へ完全に収容された収容状態(図３、図４)と、該ミラー本体１０から下方へ延出した延出状態(図１、図２)とに昇降可能となっている。
【００１４】
夫々のガイド部材３６,３６は、図５に例示したように、前述した第２挿通口２８の左右両端において対向的に立設した状態で取付けられ、後壁部分２０の内側に突設した第２ボス３２,３２に図示しないビス等を締結することで固定されるようになっている。
【００１５】
また、物品収納体５０の上部後端縁には、後方へ突出した脱抜防止片５８が突設されており、該物品収納体５０が延出状態まで下降した際に該脱抜防止片５８が第２挿通口２８の端縁部に係止して、該物品収納体５０の脱落が防止されるようになっている。また上部中央には、前述した姿勢保持体４０に取り付けられたロック装置４８へ脱抜可能に突入する係止突部６０が、物品収納体５０に一体的に形成されている。
【００１６】
従って本実施例のルームミラーＲＭは、物品収納体５０が収容状態にある場合、図３および図４に例示したように、係止突部６０がロック装置４８内へ突入して係止されるため、物品収納部５２に物品が収納されていても該物品収納体５０は収容状態に保持される。そして、収容状態に保持されている物品収納体５０を上方へ軽く押すと、ロック装置４８のプッシュオープン機能が働いて該ロック装置４８に対する係止突部６０の係止が解除されるため、図１および図２に例示したように、該物品収納体５０が延出状態まで下降して物品出入口５４が外方へ開口するようになる。これにより、物品出入口５４を介した物品収納部５２への物品の収納および該物品収納部５２からの物品の取出しを行なうことが可能となる。また、延出状態に保持されている物品収納体５０を指先で収容状態まで押し上げると、係止突部６０がロック装置４８内へ突入して係止されるため、該物品収納体５０は再び収容状態に保持される。
【００１７】
すなわち本実施例のルームミラーＲＭは、物品収納機能が付与されているため、図７および図８に例示した収納部１６をルーフパネルＲＦの前端に設ける必要がなくなり、該ルーフパネルＲＦを含む車体構造の簡素化を図ってコスト削減が期待できると共に、該ルーフパネルＲＦの形状に制約がなくなってデザインの自由度が高められる。また、ミラー本体１０の姿勢を変えることなく物品収納体５０を延出させ得るので、物品の出し入れに際して後方視界が妨げられることがなく、後方視界を付与するというルームミラーＲＭの本来の機能は何等損なわれることがない。
【００１８】
(変更例)
図６は、変更例に係るルームミラーＲＭを、物品収納体５０を延出させた状態で例示した概略斜視図である。前述した実施例のルームミラーＲＭは、ミラー本体１０の下縁部に第２挿通口２８を形成し、物品収納体５０が該ミラー本体１０から下方へ延出する昇降タイプを例示したが、変更例のルームミラーＲＭは、ミラー本体１０の側縁部(左側縁部)に第２挿通口２８を形成し、物品収納体５０が該ミラー本体１０から左側方へ延出するスライドタイプとしたものである。すなわち、ミラー本体１０の内部には、横方向に延在するガイド部材(第１ガイド部)３６,３６が第２挿通口２８を挟んで上下に対向離間して配設され、また物品収納体５０の上部外面および下部外面(外部)に突縁部(第２ガイド部)５６,５６を設けてあり、これらガイド部材３６,３６と突縁部５６,５６との摺接作用下に、物品収納体５０が水平方向へスライド可能となっている。従って、変更例のルームミラーＲＭにおいても、前述した実施例のルームミラーＲＭと同様の作用効果が得られる。なお、ミラー本体１０の右側縁部に第２挿通口２８を形成して、物品収納体５０が該ミラー本体１０から右方向へ延出するタイプとすることも可能である。
【００１９】
また、ミラー本体１０に対する物品収納体５０のスライド機構は、前述したガイド部材３６と突縁部５６とによる摺接形態に限定されるものではなく、既存の種々形態のものを応用することが可能である。
【産業上の利用可能性】
【００２０】
本発明に係るルームミラーは、フロントウィンドウの上縁に取付けられるミラー本体と、このミラー本体に設けられて後方視界を付与するミラーとからなり、ミラー本体の内部に物品を収納し得るようにしたもので、種々の車両に広く実施可能である。
【図面の簡単な説明】
【００２１】
【図１】好適実施例に係るルームミラーを、ミラー本体へ収容可能な物品収納体を延出させた状態で例示した概略斜視図である。
【図２】図１のII−II線断面図である。
【図３】図１に例示したルームミラーを、ミラー本体へ物品収納体を収容した通常の使用状態で示した概略斜視図である。
【図４】図３のIV−IV線断面図である。
【図５】図１に例示したルームミラーを構成する部品を概略的に示した分解斜視図である。
【図６】変更例に係るルームミラーを、ミラー本体へ収容可能な物品収納体を延出させた状態で例示した概略斜視図である。
【図７】従来のルームミラーを、実施状態で示した概略斜視図である。
【図８】図７のVIII−VIII線断面図である。
【符号の説明】
【００２２】
１０  ミラー本体
１２  ミラー
２８  第２挿通口(挿通口)
３４  本体収容部
３６  ガイド部材(第１ガイド部)
５０  物品収納体
５２  物品収納部
５６  突縁部(第２ガイド部)
【図１】
2006103596.tif 000003
【図２】
2006103596.tif 000004
【図３】
2006103596.tif 000005
【図４】
2006103596.tif 000006
【図５】
2006103596.tif 000007
【図６】
2006103596.tif 000008
【図７】
2006103596.tif 000009
【図８】
2006103596.tif 000010